(57)【要約】【課題】別途に形成されたアドレス設定器を用いることなく、アドレスの設定を容易に行える小型の操作スイッチ配線器具を提供する。【解決手段】操作スイッチ配線器具は３個モジュール寸法に形成された器体１０を備え、この器体１０の前面に、リレーのアドレスに対応付けたアドレスが個別に割り当てられる８個の操作スイッチの操作子に被せた操作ボタンＢ１〜Ｂ８と、各操作スイッチのアドレスの組み合わせを複数の組み合わせの中から択一的に選択するロータリスイッチの操作子２６とを配置するとともに、器体１０の内部に、各操作スイッチの操作に応じた操作情報と操作された操作スイッチのアドレスとを含む伝送信号を信号線に送出する信号処理部を収納し、さらに器体１０の前面に、前面の略全体を覆う化粧カバー１３を着脱自在に取り付けてある。【選択図】図１
2006094452.tif 000002
【特許請求の範囲】
【請求項１】
個別のアドレスが割り当てられた操作スイッチのオンオフを監視する操作スイッチ配線器具と、個別のアドレスが割り当てられたリレーの開閉を制御するリモコン配線器具とを信号線に接続し、前記操作スイッチ配線器具が、前記操作スイッチの操作に応じた操作情報とアドレス情報とを含む伝送信号を信号線に出力し、前記操作スイッチのアドレスと対応付けられたアドレスのリレーを前記リモコン配線器具が開閉する遠隔監視制御システムに用いられる操作スイッチ配線器具であって、
埋込型の配線器具用に規格化された一連の取付枠に３個まで取着可能な単位寸法の配線器具を短幅方向に３個並べた寸法と略同じ寸法に形成され、前面を露出させた状態で施工面に埋込配設される器体を備え、前記器体の前面に、前記リレーのアドレスに対応付けたアドレスが個別に割り当てられる複数個の操作スイッチと、各操作スイッチのアドレスの組み合わせを複数の組み合わせの中から択一的に選択するアドレス設定部とを配置するとともに、前記器体の内部に、各操作スイッチの操作に応じた操作情報と操作された操作スイッチのアドレス情報とを含む伝送信号を信号線に送出する信号処理部を収納し、且つ、前記器体の前面に、前記アドレス設定部を少なくとも覆う化粧カバーを着脱自在に取り付けたことを特徴とする操作スイッチ配線器具。
【請求項２】
前記器体の前面に、前記アドレス設定部によるアドレスの設定内容を表示する表示手段を設けたことを特徴とする請求項１記載の操作スイッチ配線器具。
【請求項３】
信号線を介して伝送信号により送信される前記リモコン配線器具に接続された前記リレーのアドレス情報を受信する手段と、受信したリレーのアドレス情報と前記アドレス設定部で設定された複数個の操作スイッチのアドレスとを比較し、設定されたアドレスに対応するリレーが全く存在しない場合には設定エラーを表示する手段とを備えて成ることを特徴とする請求項１又は２記載の操作スイッチ配線器具。
【請求項４】
前記操作スイッチは、複数の前記リレーのアドレスと多対一の関係で対応付けたアドレスが割り当てられ、前記化粧カバーは、前記操作スイッチを操作する操作ハンドルを具備することを特徴とする請求項１又は２又は３記載の操作スイッチ配線器具。
【請求項５】
前記アドレス設定部は、前記リレーのアドレスのなかから先頭のアドレスと最後尾のアドレス並びにその間に存在する１乃至複数のアドレスの組み合わせを択一的に選択するものであって、前記先頭のアドレス及び最後尾のアドレスが個別に手動で設定可能であることを特徴とする請求項４記載の操作スイッチ配線器具。
【請求項６】
前記アドレス設定部は、前記リレーの全てのアドレス毎に前記操作スイッチのアドレスとの対応付けの有無が手動で設定可能であることを特徴とする請求項４記載の操作スイッチ配線器具。
【発明の詳細な説明】
【技術分野】
【０００１】
本発明は、照明負荷などの負荷の遠隔監視制御を行う遠隔監視制御システムに用いられる操作スイッチ配線器具に関するものである。
【背景技術】
【０００２】
従来から、負荷の遠隔監視制御を行うために信号線を通してスイッチのオンオフ情報を含む伝送信号を送信し、負荷の電源を入切するリレーを伝送信号によって開閉させる技術が知られている。
【０００３】
このような遠隔監視制御システムとしては、例えば図１６に示すように、２線式の信号線１０５に、伝送ユニット１００と、操作スイッチ１０３の状態を監視する操作端末器１０１と、リレー１０４のリレー接点（図示せず）により照明器具のような負荷の電源を入切する制御端末器１０２とを接続して構成されるものがあり、本システムでは操作端末器１０１および制御端末器１０２に設定されている個別のアドレスを用いて伝送ユニット１００が操作端末器１０１および制御端末器１０２を各別に認識する。尚、図中の１０６はリレー１０４を駆動するための電源トランスである。
【０００４】
このような遠隔監視制御システムでは、伝送ユニット１００から図１７（ａ）に示すような形式を有した伝送信号Ｖｓを送出することにより、各端末器１０１，１０２との間でデータの授受を行っている。すなわち伝送信号Ｖｓは、信号の送出開始を示すスタートパルスＳＴ、信号のモードを示すモードデータＭＤ、各端末器１０１，１０２を個別に認識するためのアドレスデータＡＤ、負荷の制御内容を示す制御データＣＤ、伝送誤りを検出するチェックサムデータのようなエラー訂正符号ＣＳ、各端末器１０１，１０２から返送信号を返送するための返送待機期間ＷＴよりなる複極性（±２４Ｖ）の時分割多重信号であり、パルス幅変調によってデータが伝送されるようになっている。
【０００５】
各端末器１０１，１０２では、それぞれ信号線１０５を介して受信した伝送信号ＶｓのアドレスデータＡＤに含まれるアドレスが予め設定されている自己のアドレスに一致すると、伝送信号Ｖｓから制御データＣＤを取り込むとともに、伝送信号Ｖｓの返送待機期間ＷＴにデータを電流モード信号（信号線１０５を適当な低インピーダンスを介して短絡することにより送出される信号）として返送する。
【０００６】
操作端末器１０１では、操作スイッチ１０３の操作があると図１７（ｂ）に示す通常時に伝送されてくる伝送信号ＶｓのスタートパルスＳＴの受信期間に割込信号Ｖｉを図１７（ｃ）に示すように電流モードで送出するようになっている。伝送ユニット１００には信号送信手段と割込処理手段とが設けられ、信号送信手段によりモードデータＭＤをポーリングモードとして、常時監視する対象の端末器あるいはダミーのアドレスデータＡＤを持つ伝送信号Ｖｓを常時送出しており、このモードの伝送信号ＶｓのスタートパルスＳＴに同期して操作端末器１０１から操作スイッチ１０３の操作に対応して送出される割込信号Ｖｉが受信されると、割込処理手段では操作端末器１０１をグループ単位で識別するグループアドレスを持つ伝送信号Ｖｓを順次送信し、割込信号Ｖｉを送信した操作端末器１０１を検出するようになっている。
【０００７】
この時、割込信号を送出した操作端末器１０１は自己が属するグループアドレスのアクセス時に自己アドレスを返送待機期間ＷＴに返送信号として返送し、この返送信号を受信した伝送ユニット１００では送られてきたアドレスデータをもとに割込信号Ｖｉを送出した操作端末器１０１を検出して、当該操作端末器１０１をアクセスする伝送信号Ｖｓを送出し、当該操作端末器１０１から返送待機期間ＷＴに操作スイッチ１０３の操作データを監視データとして返送信号により返送させる。
【０００８】
伝送ユニット１００では、上述のような一連の割込処理を経て、当該操作端末器１０１に対応付けが予め設定されている制御端末器１０２への制御データＣＤを監視データに基づいて作成して、当該制御端末器１０２のアドレスデータＡＤとともに伝送信号Ｖｓにより時分割多重伝送する。この伝送信号Ｖｓによりアクセスされた制御端末器１０２はリレー１０４を制御駆動して、そのリレー接点により負荷への電源供給をオン／オフする。
【０００９】
而して、このような遠隔監視制御システムでは操作端末器１０１の操作スイッチ１０３の操作に応じて、対応する制御端末器１０２によりリレー１０４を介して負荷をオン／オフすることができるのである。
【００１０】
上述の遠隔監視制御システムにおいては、伝送ユニット１００が、操作端末器１０１と制御端末器１０２とをアドレスによって対応付けたデータテーブルである制御テーブルを格納したメモリを備えており、いずれかの操作端末器１０１における操作スイッチ１０３のオンオフ情報が伝送信号Ｖｓを用いて伝送ユニット１００に通知されると、制御テーブルによって当該操作端末器１０１に対応付けられている制御端末器１０２に対して伝送信号を用いてリレー１０４を開閉する指示を伝送し、この指示を受けた制御端末器１０２においてリレー１０４が開閉される。ここで、１台の操作端末器１０１は最大４回路の操作スイッチ１０３を区別して用いることができるように構成されるとともに、１台の制御端末器１０２は最大４回路のリレー１０４を区別して用いることができるように構成されており、伝送ユニット１００に設けた制御テーブルでは操作スイッチ１０３およびリレー１０４の回路別に対応付けが可能になっている。また、制御テーブルでは、操作スイッチ１０３とリレー１０４とを一対一に結びつけるほか、一対多に結びつけることも可能になっている。
【００１１】
たとえば、リレー１０４を用いて負荷としての照明器具への電源を入切するとすれば、伝送ユニット１００では、１個のスイッチで１回路の照明器具の点灯と消灯とを行う個別制御と、１個のスイッチで複数回路の照明器具の点灯と消灯とを一括して行う一括制御の設定が可能になっている。言い換えると、個別制御は１指示で１回路の負荷を制御することを意味し、一括制御は１指示で複数回路の負荷を制御することを意味する。また、一括制御としては、制御対象となる負荷の範囲をスイッチに対応付けておき、１個のスイッチの操作によって当該範囲の負荷を一括してオンまたはオフにするグループ制御と、制御対象となる負荷のアドレスの範囲と各アドレスに対応する負荷のオンとオフとの別とをスイッチに対応付けておき、１個のスイッチの操作によって当該範囲の負荷をそれぞれオンまたはオフにするパターン制御とがある。
【００１２】
ところで、従来よりグループ制御やパターン制御などの一括制御で制御される制御端末器１０２のアドレスを設定するアドレス設定器が提供されていたが（例えば特許文献１又は２参照）、操作端末器１０１や制御端末器１０２以外のシステム構成要素が増え、しかもアドレス設定器は設定時しか使用されないため、通常の制御時には不要なシステム構成要素が増えてしまうという問題があった。
【００１３】
そこで、アドレス設定器を用いずに、操作端末器１０１において操作スイッチ１０３に割り当てたアドレスを変更して負荷制御が行えるようにしたものが従来より提供されており、例えば図１８（ａ）に示されるセレクタスイッチ１１０では、負荷を制御するための複数個のセレクタキー１１１を備え、各セレクタキー１１１のアドレスを設定スイッチ部１１２が備える各種の操作スイッチで設定するようになっている。また図１８（ｂ）に示すようにタッチスイッチ付の液晶パネル１２１を備えたセレクタスイッチ１２１も提供されており、液晶パネル１２１の画面上に作成された操作ボタンを操作することで、パターンアドレスやグループアドレスの設定を行うようになっている。
【特許文献１】実開平２−１０８４９３号公報
【特許文献２】特開平６−３０３６８１号公報
【発明の開示】
【発明が解決しようとする課題】
【００１４】
上述した遠隔監視制御システムでは、アドレス設定器を用いないで操作端末器１０１のアドレスを変更してリレー１０４のアドレスとの対応付けを変更する場合、多数のセレクタキー１１１と各セレクタキー１１１のアドレス設定を行う設定スイッチ部１１２を備えたセレクタスイッチ１１０を用いるか、或いは、タッチスイッチ付の液晶パネル１２１を備えたセレクタスイッチ１２０を用いていたが、セレクタスイッチ１１０，１２０は例えば管理人室などに設置されてシステム全体の照明負荷を制御するために用いられるものであり、そのためパターン制御やグループ制御などの多くの機能を有しているため、スイッチ自体が大型で高価なものとなり、しかも設定操作が複雑なためアドレスの設定に習熟した人間でないと設定作業が難しかった。
【００１５】
また図１８（ｃ）に示すように造営面に埋込配設される操作端末器１０１の背面にアドレス設定のための４ビットのディップスイッチＤＳを設け、ディップスイッチＤＳの操作によってアドレスを設定するものも従来から提供されているが、操作端末器１０１を埋込配設する前はアドレス設定を容易に行えるものの、埋込配設した後はディップスイッチＤＳが施工面の内側に隠れるため、操作端末器１０１を取り外さないとアドレスの設定を変更できないという問題があった。
【００１６】
本発明は上記問題点に鑑みて為されたものであり、その目的とするところは、別途に形成されたアドレス設定器を用いることなく、アドレスの設定を容易に行える小型の操作スイッチ配線器具を提供することにある。
【課題を解決するための手段】
【００１７】
上記目的を達成するために、請求項１の発明は、個別のアドレスが割り当てられた操作スイッチのオンオフを監視する操作スイッチ配線器具と、個別のアドレスが割り当てられたリレーの開閉を制御するリモコン配線器具とを信号線に接続し、操作スイッチ配線器具が、操作スイッチの操作に応じた操作情報とアドレス情報とを含む伝送信号を信号線に出力し、操作スイッチのアドレスと対応付けられたアドレスのリレーをリモコン配線器具が開閉する遠隔監視制御システムに用いられる操作スイッチ配線器具であって、埋込型の配線器具用に規格化された一連の取付枠に３個まで取着可能な単位寸法の配線器具を短幅方向に３個並べた寸法と略同じ寸法に形成され、前面を露出させた状態で施工面に埋込配設される器体を備え、器体の前面に、リレーのアドレスに対応付けたアドレスが個別に割り当てられる複数個の操作スイッチと、各操作スイッチのアドレスの組み合わせを複数の組み合わせの中から択一的に選択するアドレス設定部とを配置するとともに、器体の内部に、各操作スイッチの操作に応じた操作情報と操作された操作スイッチのアドレス情報とを含む伝送信号を信号線に送出する信号処理部を収納し、且つ、器体の前面に、アドレス設定部を少なくとも覆う化粧カバーを着脱自在に取り付けたことを特徴とする。
【００１８】
請求項２の発明は、請求項１の発明において、器体の前面に、アドレス設定部によるアドレスの設定内容を表示する表示手段を設けたことを特徴とする。
【００１９】
請求項３の発明は、請求項１又は２の発明において、信号線を介して伝送信号により送信されるリモコン配線器具に接続されたリレーのアドレス情報を受信する手段と、受信したリレーのアドレス情報とアドレス設定部で設定された複数個の操作スイッチのアドレスとを比較し、設定されたアドレスに対応するリレーが全く存在しない場合には設定エラーを表示する手段とを備えて成ることを特徴とする。
【００２０】
請求項４の発明は、請求項１の発明において、前記操作スイッチは、複数の前記リレーのアドレスと多対一の関係で対応付けたアドレスが割り当てられ、前記化粧カバーは、前記操作スイッチを操作する操作ハンドルを具備することを特徴とする。
【００２１】
請求項５の発明は、請求項４の発明において、前記アドレス設定部は、前記リレーのアドレスのなかから先頭のアドレスと最後尾のアドレス並びにその間に存在する１乃至複数のアドレスの組み合わせを択一的に選択するものであって、前記先頭のアドレス及び最後尾のアドレスが個別に手動で設定可能であることを特徴とする。
【００２２】
請求項６の発明は、請求項４の発明において、前記アドレス設定部は、前記リレーの全てのアドレス毎に前記操作スイッチのアドレスとの対応付けの有無が手動で設定可能であることを特徴とする。
【発明の効果】
【００２３】
請求項１の発明によれば、器体の前面に複数個の操作スイッチが配設され、アドレス設定部を用いて各操作スイッチのアドレスの組み合わせを複数の組み合わせの中から択一的に選択できるので、アドレス設定部の設定を切り替えることによって、操作スイッチの個数にアドレスの組み合わせの数を乗じた数のリレーを１台の操作スイッチ配線器具で操作することが可能になり、且つ、アドレス設定部は化粧カバーによって着脱自在に覆われるので、アドレス設定時以外はアドレス設定部を化粧カバーで覆うことによって、誤操作やいたずらなどでアドレスが誤設定されるのを防止できるという効果がある。さらに、操作スイッチ配線器具の器体は埋込型の単位寸法の配線器具を短幅方向に３個並べた寸法（この寸法を３個モジュール寸法と言う。）と略同じ寸法に形成されているので、従来のセレクタスイッチに比べて操作スイッチ配線器具を小型にできるという効果もある。
【００２４】
請求項２の発明によれば、表示手段の表示からアドレス設定部によるアドレスの設定内容を確認できるので、アドレスの誤設定を防止できるという効果がある。
【００２５】
請求項３の発明によれば、受信したリレーのアドレス情報とアドレス設定部で設定されたアドレスとを比較し、設定されたアドレスに対応するリレーが全く存在しない場合には設定エラーを表示する手段を備えているので、対応するリレーが全く存在しないようなアドレスに設定された場合には設定エラーを表示することで、レイアウト変更などでリレーの数が増減した場合でも、誤ったアドレスに設定されるのを防止できるという効果がある。
【００２６】
請求項４の発明によれば、アドレス設定部を用いて操作スイッチのアドレスと複数のリレーのアドレスの組み合わせを複数の組み合わせの中から択一的に選択できるので、アドレス設定部の設定を切り替えることによって、操作スイッチで一括してオン・オフされる複数のリレーのアドレス設定が操作スイッチ配線器具のみで可能になり、且つ、アドレス設定部は操作スイッチを操作するための操作ハンドルを具備した化粧カバーによって着脱自在に覆われるので、アドレス設定時以外はアドレス設定部を化粧カバーで覆うことによって、誤操作やいたずらなどでアドレスが誤設定されるのを防止できるという効果がある。
【００２７】
請求項５の発明によれば、操作スイッチで一括してオン・オフしようとするリレーのアドレス範囲の先頭と最後尾の各アドレスがアドレス設定部により手動で設定可能であるから、アドレスの設定作業が容易に行えるという効果がある。
【００２８】
請求項６の発明によれば、操作スイッチによるオン・オフの対象となるリレーのアドレスがアドレス設定部により個別に手動で設定可能であるから、請求項５の発明のように範囲指定する場合に比較して、より細かく且つ自由にアドレス設定が行えるという効果がある。
【発明を実施するための最良の形態】
【００２９】
以下に本発明の実施の形態を図面に基づいて説明する。
【００３０】
（実施形態１）
先ず本実施形態を用いる遠隔監視制御システムの概要を図６の全体構成図に基づいて説明する。本システムは、２線式の信号線７に、図１６に示した遠隔監視制御システムの構成要素のうち操作端末器１０１の機能を備える操作スイッチ配線器具１と、伝送ユニット１００の機能を備えるリレー制御親機（以下、親機と略称す）２と、伝送ユニット１００の機能は備えずに制御端末器１０２の機能を備える複数台のリレー制御子機（以下、子機と略称す）３とを接続して構成される。リモコン配線器具としての親機２と子機３とは、本体ユニット４，４’にリレーブロック５を着脱自在に接続することにより構成されており、各リレーブロック５は対応する負荷６の電源をオン／オフするリレーを備えている。
【００３１】
親機２は伝送ユニット１００の機能を備えており、２線式の信号線７を介して操作スイッチ配線器具１を接続することにより、操作スイッチ配線器具１に設けた複数個（例えば８個）の操作スイッチＳＷ１〜ＳＷ８の操作を親機２に設けたリレーブロック５が備えるリレーに反映することができる。また、子機３には制御端末器１０２の機能を備えているから、信号線７を用いて操作スイッチ配線器具１を接続している親機２に、信号線７を介して子機３を接続すれば、操作スイッチ配線器具１に設けた８個の操作スイッチＳＷ１〜ＳＷ８の操作を子機３に設けたリレーブロック５が備えるリレーに反映することができる。
【００３２】
ここで、親機２には最大８個のリレーブロック５を接続することができ、親機２に接続されるリレーブロック５のアドレスは１〜８に固定されている。なお、リレーブロック５は本体ユニット４に対して一列に連接されており、各リレーブロック５のアドレスは一方の端に接続されたリレーブロック５のアドレスを１とし、端からＮ番目のリレーブロック５のアドレスをＮ（Ｎ＝１、２、３…８）としている。
【００３３】
また、本システムでは親機２に子機３を最大で１０台まで接続することができ、各々の子機３にはリレーブロック５を最大４個まで接続することが可能で、子機３に接続されるリレーブロック５のアドレスは、子機３に設けたロータリスイッチ８を用いて設定される。すなわち、各々の子機３に接続される４個のリレーブロック５のアドレスは連続した番号に設定され、ｎ（１から１０までの整数）をロータリスイッチ８の回転位置に応じて決まる値とすると、ロータリスイッチ８の回転位置によって先頭アドレスが（４×ｎ＋５）に決定される。したがって、各々の子機３に接続される４個のリレーブロック５のアドレスは９〜１２、１３〜１６、１７〜２０、…、４５〜４８の何れかの組み合わせに設定されることになる。
【００３４】
而して本システムの最大構成は、親機２を１台、子機３を１０台とし、親機２にリレーブロック５を８台、各子機３にリレーブロック５を４台ずつ接続した場合であり、リレーブロック５は全体で４８台接続されることになり、そのアドレスは１〜４８までの番号に設定される。
【００３５】
次に、本発明に係る操作スイッチ配線器具１の構成について図１〜図５に基づいて説明する。図５は操作スイッチ配線器具１の回路ブロック図であり、マイクロコンピュータよりなるコントロール部１ａと、８個の操作スイッチＳＷ１〜ＳＷ８からなる操作入力部１ｂと、ロータリスイッチＲＳからなるアドレス設定部１ｃと、信号線７を介して伝送信号を受信する信号入力部１ｄと、信号線７を介して伝送信号を送信する信号出力部１ｅと、各操作スイッッチＳＷ１〜ＳＷ８に対応して設けた８個の発光ダイオードＬＤ１〜ＬＤ８よりなる表示部１ｆと、信号線７を介して送信される複極の伝送信号Ｖｓを全波整流することによって内部電源を生成する電源部１ｇとを主要な構成として備える。
【００３６】
図４は操作スイッチ配線器具１の分解斜視図であり、操作スイッチ配線器具１の器体１０は合成樹脂製のボディ１１とカバー１２とを結合して構成され、カバー１２の前面には合成樹脂製の化粧カバー１３が着脱自在に取着される。この器体１０は、埋込型の配線器具用に規格化された一連の取付枠に３個まで取着可能な単位寸法の埋込型配線器具を短幅方向に３個並べた寸法（３個モジュール寸法）と略同じ寸法に形成されており、前面を露出させた状態で施工面に埋込配設される。
【００３７】
ボディ１１は前面が開口した縦長の略箱状であって、長手方向に沿う両側面には一対の係止突起１６が上下に離間して突設してある。一方、カバー１２はボディ１１の開口を塞ぐ矩形板状であって、長手方向に沿う両側辺の後縁からは各一対の組立舌片１７が後方に延設され、各組立舌片１７に設けた係止孔１７ａに係止突起１６が係合することによってボディ１１とカバー１２とが結合される。なお係止突起１６と組立舌片１７とを係合させる際には係止突起１６の端面に設けたテーパ１６ａと組立舌片１７の弾性とで容易に係合できるようになっている。
【００３８】
ボディ１１の上下両側面の前縁からは取付片１８，１８が上下両側に延出しており、各取付片１８には施工面に埋設された埋込ボックス（図示せず）にねじ止めするためのボックスねじを挿通する長孔１９と、壁材などにボディ１１を直に取り付けるための取付ねじを挿通するねじ挿通孔２０と、前面に化粧カバー１３を露出させる窓孔を有するプレート枠（図示せず）を取着するためのプレートねじ用のねじ孔２１とが少なくとも設けてある。
【００３９】
ボディ１１の内部には、図５に示した各部１ａ〜１ｇを構成する操作スイッチＳＷ１〜ＳＷ８、ロータリスイッチＲＳ、発光ダイオードＬＤ１〜ＬＤ８などの回路部品を実装したプリント配線板よりなる回路基板２２が収納されている。なお、８個の操作スイッチＳＷ１〜ＳＷ８は回路基板２２の右端に上下方向に沿って列設されるとともに、８個の発光ダイオードＬＤ１〜ＬＤ８は回路基板２２の左端に上下方向に沿って列設されており、対応する操作スイッチＳＷ１…と発光ダイオードＬＤ１…とが左右に並べて配置されている。また、ロータリスイッチＲＳは回路基板２２の中央部に配置されている。
【００４０】
一方、カバー１２は、ねじ挿通孔２０およびねじ孔２１が設けられた取付片１８，１８の端部を除くボディ１１前面の略全体を覆うことが可能な寸法に形成されており、長孔１９，１９に対応する部位にはＣ字形に切り欠いた切欠２３，２３が形成されている。また、カバー１２には、操作スイッチＳＷ１〜ＳＷ８に対向する部位に各操作スイッチＳＷ１〜ＳＷ８の操作子に被せられる操作ボタンＢ１〜Ｂ８が前後方向に移動自在に取り付けられ、さらに発光ダイオードＬＤ１〜ＬＤ８に対向する部位に角形の発光ダイオードＬＤ１〜ＬＤ８をそれぞれ挿通させる８個の透孔２４が貫設されている。また、カバー１２の中央部には角形に凹んだ凹部２５が設けられ、この凹部２５の底にはロータリスイッチＲＳの操作子２６を挿通させる挿通孔２５ａが貫設されている。また、凹部２５の底面には図２に示すような銘板３０が貼り付けられ、銘板３０の中央の孔を通して操作子２６が前方に突出する。この銘板３０には操作子２６の操作位置を示す目盛や、各目盛に切り替えた時に設定されるアドレスを示す数字（例えば「１〜８」、「９〜１６」など）が表示されている。
【００４１】
また化粧カバー１３は、長手方向および短幅方向の寸法がカバー１２と略同一の寸法に形成された矩形板状であって、裏面の左右両側縁には各一対の組立爪片２７が突設されており、各組立爪片２７をカバー１２の取付孔２８内に挿入して、各組立爪片２７の先端の爪２７ａを取付孔２８の孔縁に係合させることによって、化粧カバー１３がカバー１２に着脱自在に取着される。なお、化粧カバー１３の後面の下側縁には外し溝２９が形成されており、化粧カバー１３をカバー１２から取り外す際には外し溝２９内にマイナスドライバーのような工具の先端を挿入して工具をこじることで、組立爪片２７の爪２７ａと取付孔２８との係合が外れるから、化粧カバー１３をカバー１２（器体１０）から容易に取り外すことができる。
【００４２】
化粧カバー１３には、カバー１２に設けた操作ボタンＢ１〜Ｂ８に対向する部位に各操作ボタンＢ１…をそれぞれ挿通させる丸孔３１が貫設されるとともに、発光ダイオードＬＤ１〜ＬＤ８に対向する部位に各発光ダイオードＬＤ１の発光面をそれぞれ露出させる透孔３２が貫設されている。また化粧カバー１３の左右方向の中央部にはカード収納凹所３３が形成されており、このカード収納凹所３３内にネームカード１５を納装する。そして、化粧カバー１３の前面には、カード収納凹所３３内にネームカード１５を収納した状態で可撓性を有する樹脂製の表銘板１４が貼り付けられる。表銘板１４はメンブレンシートと呼ばれるもので、化粧カバー１３の前面と長手方向及び短幅方向の寸法が略同一の薄板状に形成されて、化粧カバー１３の丸孔３１に対応する部位には前方に向かってドーム状に突出する押操作部１４ａが形成されている。また、表銘板１４には少なくとも化粧カバー１３の透孔３２に対応する部位とネームカード１５に対応する部位とに透明部位からなる透光部を設けてあり、これらの透光部を通して発光ダイオードＬＤ１〜ＬＤ８の光やネームカード１５の表示が外部より視認可能となっている。
【００４３】
而して、この操作スイッチ配線器具１を組み立てるに当たっては、先ず回路部品が実装された回路基板２２をボディ１１の内部に収納した後、ボディ１１の前面にカバー１２を被せて組立舌片１７の係止孔１７ａに係止突起１６を係合させることで、ボディ１１とカバー１２とが結合される。このとき、回路基板２２に実装された各操作スイッチＳＷ１…の操作子にはカバー１２に前後動自在に取着された操作ボタンＢ１…が被せられ、発光ダイオードＬＤ１〜ＬＤ８およびロータリスイッチＲＳの操作子２６はカバー１２の透孔２４および挿通孔２５ａを通して前方に突出する。そして、カード収納凹所３３内にネームカード１５を収納した状態で、前面に表銘板１４が貼り付けられた化粧カバー１３をカバー１２（器体１０）の前面に被せて、化粧カバー１３の組立爪片２７をカバー１２の取付孔２８に引掛係止させることで、化粧カバー１３がカバー１２の前面に取着される。このとき、表銘板１４の押操作部１４ａを押すと、押操作部１４ａが凹むので表銘板１４を介して操作ボタンＢ１…を押操作することができる。
【００４４】
ここで、操作スイッチ配線器具１には８個の操作スイッチＳＷ１〜ＳＷ８が設けられており、各操作スイッチＳＷ１〜ＳＷ８のアドレスを上述したリレーブロック５のアドレスに対応付けて設定することによって、各操作スイッチＳＷ１〜ＳＷ８の操作に応じて８個のリレーブロック５の開閉を制御することができる。本システムでは最大で４８個のリレーブロック５を接続することができるので、４８個のリレーブロック５を８個ずつ６つのグループに分けて、１台の操作スイッチ配線器具１で１グループ分のリレーブロック５の操作を行えるようにしている。ここで、４８個のリレーブロック５に対して１から４８までのアドレスを割り当てているので、例えばアドレス番号が１〜８、９〜１６、１７〜２４、２５〜３２、３３〜４０、４１〜４８のリレーブロック５をそれぞれ１つのグループにグループ分けすることによって、アドレス番号に応じて６つのグループにグループ分けすることができる。
【００４５】
そこで、本実施形態では操作スイッチ配線器具１の備える８個の操作スイッチＳＷ１〜ＳＷ８に対して連続したアドレスを昇順に割り当てると共に、ロータリスイッチＲＳの操作子２６の回転位置に応じて先頭アドレス（操作スイッチＳＷ１のアドレス）が１、９、１７、２５、３３、４１の８通りに切り替えられ、操作スイッチＳＷ１〜ＳＷ８のアドレスの組み合わせが１〜８、９〜１６、…、４１〜４８の何れかに切替設定されるのである。
【００４６】
而して、表銘板１４の押操作部１４ａを押操作し、表銘板１４および操作ボタンＢ１…を介して操作スイッチＳＷ１…を押操作すると、押操作された操作スイッチＳＷ１…から操作入力がコントロール部１ａに与えられ、上述の割込処理を経て信号出力部１ｅから押操作された操作スイッチＳＷ１…のアドレスが監視データとして伝送信号Ｖｓにより親機２に送信される。このとき親機２では、受信した伝送信号Ｖｓに含まれるアドレスが親機２に接続されたリレーブロック５のアドレスと一致していれば、このリレーブロック５の開閉を制御し、一致していなければ対応する子機３に制御信号を送信し、子機３により対応するアドレスのリレーブロック５の開閉を制御させるのである。その後、親機２から操作スイッチ配線器具１に対して対応するリレーブロック５の制御状態が返送されるので、コントロール部１ａが押操作された操作スイッチＳＷ１…に対応する発光ダイオードＬＤ１…を点灯または消灯させてリレーブロック５の開閉状態（すなわち負荷６のオン／オフ状態）を表示することができる。
【００４７】
以上説明したように本実施形態ではロータリスイッチＲＳの操作子２６の回転位置に応じて操作スイッチＳＷ１〜ＳＷ８のアドレスの組み合わせが複数通りに切り替えられるので、化粧カバー１３を外してロータリスイッチＲＳの操作子２６を操作することによって、アドレスの変更を容易に行うことができ、操作スイッチＳＷ１…の個数にアドレスの組み合わせの数を乗じた数のリレーブロック５を１台の操作スイッチ配線器具１で操作することが可能になる。またロータリスイッチＲＳの操作子２６は化粧カバー１３によって着脱自在に覆われており、設定時以外はロータリスイッチＲＳの操作子２６が化粧カバー１３によって隠されているので、誤操作やいたずらなどでアドレスの設定が変更されるのを防止することもできる。さらに、操作スイッチ配線器具１の器体１０は３個モジュール寸法の埋込型配線器具と略同じ寸法に形成されているので、従来のセレクタスイッチに比べて操作スイッチ配線器具１を小型にできる。
【００４８】
（実施形態２）
本発明の実施形態２を図７に基づいて説明する。なお、アドレス設定部１ｃの構成以外は実施形態１と同様であるので、共通する構成要素には同一の符号を付して、その説明は省略する。
【００４９】
上述の実施形態１ではアドレス設定部１ｃをロータリスイッチＲＳにより構成し、ロータリスイッチＲＳの操作子２６の回転位置に応じて、操作スイッチＳＷ１〜ＳＷ８のアドレスの組み合わせが８通りに切り替えられるようになっているのに対して、本実施形態では図７（ａ）に示すようにカバー１２の前面にモーメンタリ型の押釦スイッチからなるアドレス設定用のスイッチＳＷ１０を設け、このスイッチＳＷ１０を所定時間以上長押しすると、スイッチＳＷ１０からのスイッチ入力を受けてコントロール部１ａの動作がアドレス設定モードに切り替わり、スイッチＳＷ１０が有効になる。アドレス設定モードで動作中は８個の発光ダイオードＬＤ１…の内、発光ダイオードＬＤ１〜ＬＤ６がアドレスの設定状態を表示する表示手段として動作し、発光ダイオードＬＤ１、ＬＤ２、…、ＬＤ８はそれぞれアドレス番号の１〜８、９〜１６、…、４１〜４８に対応している。そして、スイッチＳＷ１０の操作によってアドレス設定モードに切り替えられると、コントロール部１ａは現在のアドレス設定に対応した発光ダイオードＬＤ１…を点灯させて、現在のアドレス設定を表示しており、その後スイッチＳＷ１０を１回押操作する毎にコントロール部１ａはアドレス設定の組み合わせを１〜８→９〜１６→…→４１〜４８→１〜８→…のようにサイクリックに切り替えるとともに、対応する発光ダイオードＬＤ１…を点灯させるのである。
【００５０】
そして、アドレス設定が終了すると、スイッチＳＷ１０を長押しするか或いはスイッチＳＷ１０の操作を一定時間以上行わないことで、コントロール部１ａはアドレス設定モードを終了し、通常の制御モードに移行する。
【００５１】
このように、本実施形態では各操作スイッチＳＷ１…のアドレスの設定状態を表示する表示手段を設けているので、設定ミスや部品の故障などによる誤設定を防止することができる。
【００５２】
なお本実施形態では負荷６のオン／オフ状態を表示する発光ダイオードＬＤ１〜ＬＤ６をアドレス設定の表示手段として兼用しているが、図７（ｂ）に示すように負荷６の動作表示用の発光ダイオードＬＤ１…とは別に、アドレスの設定状態を表示する発光ダイオードＬＤ１１〜ＬＤ１６を設け、スイッチＳＷ１０の操作を常に有効として、スイッチＳＷ１０が１回押操作される毎にコントロール部１ａがアドレス設定の組み合わせを１〜８→９〜１６→…→４１〜４８→１〜８→…のように順次切り替えるとともに、対応する発光ダイオードＬＤ１１…を点灯させるようにしても良い。また図７（ｃ）に示すように、発光ダイオードＬＤ１１〜ＬＤ１６の代わりにアドレス設定の組み合わせを数字で表示する７セグメントのＬＥＤ表示器３４を設け、スイッチＳＷ１０の操作を常に有効として、スイッチＳＷ１０が１回押操作される毎にコントロール部１ａがアドレス設定の組み合わせを１〜８→９〜１６→…→４１〜４８→１〜８→…のように順次切り替えるとともに、ＬＥＤ表示器３４の表示を切り替えるようにしても良く、アドレス表示用の発光ダイオードＬＤ１１…を６個設ける場合に比べて表示手段がコンパクトになり、スイッチＳＷ１…や発光ダイオードＬＤ１…のレイアウトの自由度が高くなる。ここで、ＬＥＤ表示器３４の表示の「１」「２」…「６」を、それぞれ、アドレスの１〜８、９〜１６、…、４１〜４８に対応させれば、１から６までの数字でアドレスの設定状態を表示することができる。
【００５３】
（実施形態３）
本発明の実施形態３を図８に基づいて説明する。本実施形態では、実施形態２で説明した操作スイッチ配線器具１に、リレーブロック５が全く接続されていないアドレスのグループには、アドレスを設定できないような機能を追加している。尚、操作スイッチ配線器具１の基本的な構成は実施形態２と同様であるので、共通する構成要素には同一の符号を付して、その説明は省略する。
【００５４】
図８（ａ）は本実施形態を用いる遠隔監視制御システムのリレーブロック５を示しており、リレーブロック５は器体５０の内部にラッチング型のリレーを内蔵している。器体５０の一面には、セット用の巻線とリセット用の巻線とにそれぞれ接続された４本のコイル端子５２と、導電材料により形成された差込片５１とが突設されており、親機２および子器３の本体ユニット４，４’に設けたソケット部に差込片５１およびコイル端子５２を差込接続することによって、本体ユニット４，４’にリレーブロック５が電気的且つ機械的に結合され、本体ユニット４，４’とリレーブロック５とが一体になる。ここで、本体ユニット４，４’には一対の検出電極４１ａ，４１ｂが設けられており、本体ユニット４，４’にリレーブロック５を接続すると、検出電極４１ａ，４１ｂ間に差込片５１が挿入され、検出電極４１ａ，４１ｂ間が差込片５１を介して導通するので、検出電極４１ａ，４１ｂ間が短絡状態にあるか或いは開放状態にあるかを検出することで、リレーブロック５が接続されているか否かを検出できる。
【００５５】
而して、親機２では、本体ユニット４に設けた８個のリレーソケットにリレーブロック５が接続されているか否かを常時監視しており、リレーブロック５が接続されるのを検出すると、操作スイッチ配線器具１に対して接続されたリレーブロック５のアドレスを示す情報を伝送信号Ｖｓにより送信する。また子機３も、本体ユニット４’に設けた４個のリレーソケットにリレーブロック５が接続されているか否かを常時監視しており、リレーブロック５が接続されるのを検出すると、親機２に対して接続されたリレーブロック５のアドレスを示す情報を伝送信号Ｖｓにより送信し、この情報は親機２から操作スイッチ配線器具１に対して伝送信号Ｖｓにより送信される。
【００５６】
このように、親機２および子機３は、リレーソケットにリレーブロック５が接続されているか否かを常時検出しており、その検出結果が操作スイッチ配線器具１へ伝送信号により送信されるので、操作スイッチ配線器具１では、リレーブロック５が全く接続されていないアドレスのグループにアドレス設定部１ｃを用いてアドレスを設定するのを防止できる。すなわち、操作スイッチ配線器具１の信号入力部１ｄが、親機２から伝送信号Ｖｓで送信される親機２および子機３に接続されたリレーブロック５のアドレス情報を受信すると、コントロール部１ａが図示しないメモリにリレーブロック５のアドレス情報を記憶させており、アドレス設定時にスイッチＳＷ１０を操作して設定アドレスが切り替えられた場合に、メモリに記憶されたリレーブロック５のアドレス情報とアドレスの設定内容とを比較し、設定されたアドレスに対応するリレーブロック５が１つでも接続されていれば、対応する発光ダイオードを点灯させてアドレスの設定内容を表示する。一方、設定されたアドレスに対応するリレーブロック５が全く接続されていなければ、コントロール部１ａは対応する発光ダイオードを消灯させたままとし、発光ダイオードを点灯させないことで設定エラーを表示するので、使用者はこのアドレスのリレーブロック５が接続されていないと判断し、レイアウト変更などでリレーの数が増減した場合でも、誤ったアドレスに設定されるのを防止できる。
【００５７】
（実施形態４）
本発明の実施形態４を図９〜図１１に基づいて説明する。本実施形態は、従来技術で説明した一括制御のうちのグループ制御を行うための操作スイッチ配線器具であって、基本的な構成は実施形態１と同様であるので、多少形状が異なるものであっても同一の機能を有する構成要素については同一の符号を付して詳細な説明を省略する。
【００５８】
本実施形態では、複数のリレーブロック５を一括してオンするための操作スイッチ（以下、「一括オン操作スイッチ」と呼ぶ）ＳＷ１１と、同じ複数のリレーブロック５を一括してオフするための操作スイッチ（以下、「一括オフ操作スイッチ」と呼ぶ）ＳＷ１２とからなる操作入力部１ｂと、２つのロータリスイッチＲＳ１，ＲＳ２からなるアドレス設定部１ｃと、一括オン操作スイッチＳＷ１１並びに一括オフ操作スイッチＳＷ１２に対応して設けた２個の発光ダイオードＬＤ９，ＬＤ１０よりなる表示部１ｂとを回路構成として備えている。
【００５９】
図９に示すように、上記回路は回路基板２２に実装されて器体１０内に収納される。器体１０は、前面開口する直方体状のボディ１１と、ボディ１１の前面開口を閉塞するカバー１２とを結合して形成される。ボディ１１とカバー１２とは、カバー１２の両側面に突設された組立爪１２ａをボディ１１の両側壁に形成した組立孔１１ａに係合させることによって結合される。カバー１２は実施形態１で説明した一連の取付枠を兼ねている。ボディ１１の後面には信号線１０５を接続するためのねじ付の端子６０が２個露出する。端子６０は、略Ｌ形に形成された端子板６１と、端子板６１においてボディ１１の後面に沿って配設される横片に螺合する端子ねじ６２とを備える。この端子６０は、端子板６１の縦片をボディ１１の後壁に挿通し、縦片の先端部に設けた脚片６３をかしめることによってボディ１１に固定される。各端子６０は回路基板２２の回路にリード線６４を介して接続される。
【００６０】
カバー１２には、回路基板２２に実装された一括オン操作スイッチＳＷ１１並びに一括オフ操作スイッチＳＷ１２の押釦型の作動子３５に対応する位置、並びにロータリスイッチＲＳ１，ＲＳ２の操作子２６に対応する位置でそれぞれ貫通孔３６が形成され、作動子３５及び操作子２６は貫通孔３６を通してカバー１２の前面側に突出する。カバー１２には、一括オン操作スイッチＳＷ１１並びに一括オフ操作スイッチＳＷ１２に対応した発光ダイオードＬＤ９，ＬＤ１０を露出させる透孔３７が形成される。貫通孔３６、透孔３７はカバー１２の前面に形成された凹所１２ｂの底面に開口し、この凹所１２ｂには銘板３８が嵌着される。銘板３８には貫通孔３６、透孔３７などに対応する透孔３８ａが形成されている。
【００６１】
カバー１２の前面の大部分は化粧カバー７０により覆われる。化粧カバー７０は、合成樹脂の成形品であるハンドル基板７１と、ハンドル基板７１の前面に形成された凹所７３に嵌着されるハンドルプレート７２とを備える。ハンドル基板７１は、カバー１２の左側縁に沿って配設される固定片７４と、固定片７４に対してヒンジ部（図示せず）を介して各々一体に結合された矩形板状の２枚の操作ハンドル７５とからなる。固定片７４および操作ハンドル７５にはカバー１２に形成した結合孔３９に係合可能な結合爪７７が突設されている。固定片７４に設けた結合爪７７は結合孔３９に係合するとカバー１２に対して固定片７４の移動を禁止するように突出寸法が設定され、操作ハンドル７５に設けた結合爪７７は結合孔３９に係合した状態で操作ハンドル７５がカバー１２に離接する方向に揺動できるように突出寸法が設定されている。すなわち、操作ハンドル７５はヒンジ部等のばね力によってカバー１２から離れる向きに付勢され、操作ハンドル７５に対して押力が作用していない状態では結合爪７７と結合孔３９との係合によってカバー１２からの抜け止めがなされているが、操作ハンドル７５に対して押力が作用するとヒンジ部を中心として操作ハンドル７５がカバー１２に近付くようになっているのである。したがって、操作ハンドル７５への押力によって一括オン操作スイッチＳＷ１１並びに一括オフ操作スイッチＳＷ１２の作動子３５に押力を作用させて両スイッチＳＷ１１，１２を操作することができるのである。
【００６２】
固定片７４には、カバー１２の透孔３７に対応して貫通孔７９が形成され、貫通孔７９は固定片７４の長手方向に沿って形成された凹段部４１に臨んでいる。凹段部４１には透光性を有する表示カバー８０が嵌着され、表示カバー８０は粘着剤や接着剤を用いてハンドル基板７１に固着される。また、ハンドルプレート７２は、前面の左右方向の中央部が両端部よりも突出するように湾曲し、操作ハンドル７５の前面に設けられた凹所７３に嵌着される。
【００６３】
本実施形態をを組み立てる際には、まず、端子板６１の縦片をボディ１１に差し込んで脚片６３をかしめて端子板６１をボディ１１に固定し、端子ねじ６１を端子板６１に螺合させる。次に、回路基板２２と端子板６１とをリード線６４によって結線し、カバー１２に銘板３８を貼着し、ボディ１１とカバー１２とを結合する。また、表示カバー８０およびハンドルプレート７２をハンドル基板７１に固定する。その後、ハンドル基板７１をカバー１２に結合する。
【００６４】
而して本実施形態では、一括オン操作スイッチＳＷ１１並びに一括オフ操作スイッチＳＷ１２のアドレスを、複数のリレーブロック５のアドレスに一対多に対応付けて設定することにより、一括オン操作スイッチＳＷ１１の操作に応じて複数のリレーブロック５を一斉にオンするとともに一括オフ操作スイッチＳＷ１２の操作に応じて同じ複数のリレーブロック５を一斉にオフする制御（グループ制御）を行うことができる。そして本実施形態においては、一方のロータリスイッチＲＳ１でグループ制御の対象範囲の先頭アドレスを設定するとともに、他方のロータリスイッチＲＳ２で対象範囲の最終アドレスを設定し、例えば先頭のアドレス番号が９、最終のアドレス番号が３２とすれば、９〜３２のアドレスが割り当てられた２４個のリレーブロック５がグループ制御の対象範囲として一括してオン・オフされることになる。本システムでは１台の親機２について４８個のリレーブロック５が制御可能であり、親機２に８個、子機３に４個のリレーブロック５をそれぞれ接続することができ、さらに４８個のリレーブロック５に対して親機２に接続されるものから順番に１から４８までのアドレス（アドレス番号）を割り当てている。そして本実施形態では、親機２に接続される８個のリレーブロック５を４個ずつの２つのグループにグループ分けし、この親機２と接続する最大１０台の子機３に接続される４個のリレーブロック５を１つのグループとして合計１２のグループにグループ分けしている。つまり、アドレス番号が１〜４のグループＧ１、５〜８のグループＧ２、９〜１２のグループＧ３、１３〜１６のグループＧ４、１７〜２０のグループＧ５、２１〜２４のグループＧ６、２５〜２８のグループＧ７、２９〜３２のグループＧ８、３３〜３６のグループＧ９、３７〜４０のグループＧ１０、４１〜４４のグループＧ１１、４５〜４８のグループＧ１２であり、これらのグループＧ１〜Ｇ１２に各々属するアドレス番号の範囲が、銘板３８表面におけるロータリスイッチＲＳ１，ＲＳ２の操作子２６が挿通される透孔３８ａの周囲に時計回りで記されている（図１１参照）。
【００６５】
従って、一方のロータリスイッチＲＳ１の操作子２６の回転位置に応じてグループ制御の対象範囲の先頭アドレスが１、５、９、１３、１７、２１、２５、２９、３３、３７、４１、４５の１２通りに切り替えられるとともに、他方のロータリスイッチＲＳ２の操作子２６の回転位置に応じてグループ制御の対象範囲の終了アドレスが４、８、１２、１６、２０、２４、２８、４２、４６の１２通りに切り替えられるのである。ここで、グループＧ３〜Ｇ１２は１０台の子機３と一対一に対応しているから、ロータリスイッチＲＳ１，ＲＳ２で何れかのグループＧ３〜Ｇ１２を設定することは、親機２に接続される最大１０台の子機３のうちの何れか２台をグループ制御の対象範囲の最初と最後に設定することと同じである。尚、図１１では一方のロータリスイッチＲＳ１でグループ制御の対象範囲の先頭アドレスのアドレス番号が１に設定され、他方のロータリスイッチＲＳ２でグループ制御の対象範囲の終了アドレスのアドレス番号が４８に設定されており、システム上の４８個のリレーブロック５が全てグループ制御の対象範囲に含まれている。
【００６６】
而して、化粧カバー７０の操作ハンドル７１を押操作することで一括オン操作スイッチＳＷ１１又は一括オフ操作スイッチＳＷ１２を押操作すると、押操作された操作スイッチＳＷ１１，ＳＷ１２から操作入力がコントロール部１ａに与えられ、上述の割込処理を経て信号出力部１ｅからグループ制御の対象範囲に含まれる複数のアドレスが監視データとして伝送信号Ｖｓにより親機２に送信される。このとき親機２では、受信した伝送信号Ｖｓに含まれるアドレスが親機２に接続されたリレーブロック５のアドレスと一致していれば、これら複数のリレーブロック５の開閉を制御し、一致していなければ対応する１乃至複数の子機３に制御信号を送信し、各子機３により対応する複数のアドレスのリレーブロック５の開閉を制御させるのである。その後、親機２から操作スイッチ配線器具１に対して対応するリレーブロック５の制御状態が返送されるので、コントロール部１ａが押操作された一括オン操作スイッチＳＷ１１又は一括オフ操作スイッチＳＷ１２に対応する発光ダイオードＬＤ９，ＬＤ１０を点灯または消灯させてリレーブロック５の開閉状態（すなわち負荷６のオン／オフ状態）を表示することができる。
【００６７】
以上説明したように本実施形態では、２つのロータリスイッチＲＳ１，ＲＳ２の操作子２６の回転位置に応じて一括オン操作スイッチＳＷ１１並び一括オフ操作スイッチＳＷ１２と一対多に対応するリレーブロック５のアドレスの組み合わせ（グループ制御の対象範囲）が複数通りに切り替えられるので、化粧カバー７０を外してロータリスイッチＲＳ１，ＲＳ２の操作子２６を操作することによって、グループ制御の対象範囲のアドレスの変更を容易に行うことができる。またロータリスイッチＲＳ１，ＲＳ２の操作子２６は操作ハンドル７５を具備した化粧カバー７０によって着脱自在に覆われており、設定時以外はロータリスイッチＲＳ１，ＲＳ２の操作子２６が化粧カバー７０によって隠されているので、誤操作やいたずらなどでアドレスの設定が変更されるのを防止することもできる。
【００６８】
ここで、ロータリスイッチＲＳ１，ＲＳ２の代わりに、図１２に示すようにアップキー８２及びダウンキー８３と、アップキー８２並びにダウンキー８３の押操作で設定されるアドレス番号を２桁でディジタル表示する７セグメントのＬＥＤ表示器８４との組をアドレス設定部１ｃに２組設けるようにすれば、グループ制御の対象範囲の先頭アドレス及び終了アドレスとして、１〜４８の任意のアドレス番号を設定することが可能となる。
【００６９】
あるいは、図１３に示すようにアドレス設定部１ｃを複数（５個）のディップスイッチＤＰ１〜ＤＰ５で構成し、各ディップスイッチＤＰ１〜ＤＰ５の複数（１０個）の極をそれぞれアドレス番号の１〜４８に順番に割り当て、例えば、"１"に切り替えられたときにグループ制御の対象範囲に含まれるようにすれば、グループ制御の対象範囲を連続したアドレス番号で設定する必要が無くなり、設定の自由度を高めることができる。
【００７０】
なお、上述の各実施形態では子機３の台数を最大１０台とし、リレーブロック５の接続台数は親機２で最大８個、子機３で最大４個と、システム全体で最大４８個として説明を行ったが、子機３の台数やリレーブロック５の台数を上記の台数に限定する趣旨のものではなく、システムの用途や負荷の台数などの使用条件に応じて適宜台数を設定すれば良い。また、図６に示すシステム構成図では操作スイッチ配線器具１が１台しか接続されていないが、操作スイッチ配線器具１を複数台（最大６台）接続しても良く、各操作スイッチ配線器具１のアドレスはアドレス設定部１ｃを用いて異なるアドレスに設定される。
【００７１】
ところで、従来技術で説明した遠隔監視制御システムにおいては、操作端末器１０１と制御端末器１０２とのアドレスは、端末器を単位として設定されるチャンネルと、操作スイッチ１０３および負荷の回路を識別する負荷番号とからなり、現状の製品ではチャンネルは０〜６３の合計６４チャンネル、負荷番号は各チャンネルに対して４回路ずつ設定可能になっている。つまり、各操作端末器１０１および各制御端末器１０２にチャンネルが設定され、各操作端末器１０１は最大で４個の操作スイッチ１０３を具備することが可能であり、各制御端末器１０２には最大で４個の負荷が接続可能になっている。したがって、個別制御においては合計２５６回路の負荷が制御可能である。このような操作スイッチ１０３と負荷との対応関係は、伝送ユニット１００のメモリに設けた制御テーブルに設定される。すなわち、施工時には、各操作端末器１０１および各制御端末器１０２へのアドレスの設定が終了した後、操作スイッチ１０３と負荷との対応関係を制御テーブルに設定することによって、操作スイッチ１０３の操作に対して所望の負荷を制御することが可能になる。ここで、個別制御における操作スイッチ１０３と負荷との対応関係は同アドレスが対応するようにしてあり、操作端末器１０１および制御端末器１０２にアドレスを設定すれば操作スイッチ１０３と負荷との対応関係は自動的に設定されるようになっている。ただし、操作端末器１０１と制御端末器１０２とは端末器種別のデータによって区別される。
【００７２】
而して、上述の従来システムの操作端末器１０１に相当する操作スイッチ配線器具１においては、図１４に示すようにグループ制御の対象範囲の先頭アドレスに対応するチャンネルの十の桁及び一の桁をそれぞれ設定する２個のロータリスイッチＲＳ１１，ＲＳ１２と、同じ対象範囲の終了アドレスに対応するチャンネルの十の桁及び一の桁をそれぞれ設定する２個のロータリスイッチＲＳ２１，ＲＳ２２とからなるアドレス設定部１ｃを設けるか、あるいはロータリスイッチＲＳ１１，ＲＳ１２，ＲＳ２１，ＲＳ２２の代わりに、図１５に示すようにアップキー８２及びダウンキー８３と、アップキー８２並びにダウンキー８３の押操作で設定されるチャンネルと負荷番号をディジタル表示する７セグメントのＬＥＤ表示器８４とからなるアドレス設定部１ｃを設ければ、同様の効果を奏することが可能である。
【図面の簡単な説明】
【００７３】
【図１】実施形態１の操作スイッチ配線器具を示し、化粧カバーを外した状態の斜視図である。
【図２】同上の要部拡大図である。
【図３】同上の外観斜視図である。
【図４】同上の分解斜視図である。
【図５】同上の回路ブロック図である。
【図６】同上を用いる遠隔監視制御システムの全体構成図である。
【図７】実施形態２の操作スイッチ配線器具を示し、（ａ）〜（ｃ）は化粧カバーを外した状態の正面図である。
【図８】実施形態３に用いるリレーブロックを示し、（ａ）はリレーブロックの外観斜視図、（ｂ）はリレーブロックと本体ユニットとの接続部分の説明図である。
【図９】実施形態４の操作スイッチ配線器具を示す分解斜視図である。
【図１０】同上を示し、（ａ）は正面図、（ｂ）は右側面図である。
【図１１】同上の化粧カバーを外した状態を示し、（ａ）は一部省略した正面図、（ｂ）および（ｃ）は要部の正面図である。
【図１２】同上の別の構造を示し、化粧カバーを外した状態の一部省略した正面図である。
【図１３】同上のさらに別の構造を示し、化粧カバーを外した状態の一部省略した正面図である。
【図１４】同上の他の構造における化粧カバーを外した状態を示し、（ａ）は一部省略した正面図、（ｂ）および（ｃ）は要部の正面図である。
【図１５】同上のさらに他の構造を示し、化粧カバーを外した状態の一部省略した正面図である。
【図１６】従来の遠隔監視制御システムの概略構成図である。
【図１７】同上の伝送信号の説明図である。
【図１８】（ａ）〜（ｃ）は従来の操作端末器の例図である。
【符号の説明】
【００７４】
１０  器体
１３  化粧カバー
２６  操作子
Ｂ１〜Ｂ８  操作ボタン
【図１】
2006094452.tif 000003
【図２】
2006094452.tif 000004
【図３】
2006094452.tif 000005
【図４】
2006094452.tif 000006
【図５】
2006094452.tif 000007
【図６】
2006094452.tif 000008
【図７】
2006094452.tif 000009
【図８】
2006094452.tif 000010
【図９】
2006094452.tif 000011
【図１０】
2006094452.tif 000012
【図１１】
2006094452.tif 000013
【図１２】
2006094452.tif 000014
【図１３】
2006094452.tif 000015
【図１４】
2006094452.tif 000016
【図１５】
2006094452.tif 000017
【図１６】
2006094452.tif 000018
【図１７】
2006094452.tif 000019
【図１８】
2006094452.tif 000020